(57)【要約】【課題】スポーツ施設を使用する際の機能性や利便性を従来に比べて向上させることができるスポーツ施設利用システムを提供する。【解決手段】利用者の会員ＩＤを記録した不揮発性メモリを有し、記録情報を無線信号で送受信するＲＦＩＤタグ５１ｂと、ＲＦＩＤタグ５１ｂから出力される無線通信を受信し、記録されている会員ＩＤを取得するとともに、ＲＦＩＤタグ５１ｂが接近した時間間隔をＲＦＩＤタグ５１ｂ毎に計測し、計測結果に基づいて、所定の運動の繰り返し回数及び時間を利用者毎に記録するためのリーダライタ２２〜２４とデータ管理コンピュータ１とを備えている。【選択図】            図１
2005267179.tif 000002
【特許請求の範囲】
【請求項１】
利用者の識別情報を記録した記憶手段を有し、記憶手段の記録情報を無線信号として出力する記録媒体と、
記録媒体から出力される無線通信を受信し、記録媒体の記憶手段に記録されている識別情報を取得するとともに、前記記録媒体の動作を記録媒体毎に計測する計測手段と、
計測手段による計測結果に基づいて、所定の運動の繰り返し回数及び時間を利用者毎に記録する記録手段と
を具備することを特徴とするスポーツ施設利用システム。
【請求項２】
前記記録媒体の記憶手段が、強誘電体メモリ（Ferroelectric Random Access Memory）からなることを特徴とする請求項１記載のスポーツ施設利用システム。
【請求項３】
前記記録媒体が、非接触電力伝送によって得た電力によって無線信号を出力することを特徴とする請求項１又は２記載のスポーツ施設利用システム。
【請求項４】
前記計測手段が、水泳プール端部近傍に設置されていて、
前記記録手段が、計測結果から得た水泳又は水中歩行運動の繰り返し回数及び時間を、水泳又は水中歩行の距離及び速度に換算して記録する
ことを特徴とする請求項１〜３のいずれか１項記載のスポーツ施設利用システム。
【請求項５】
前記計測手段が、筋力トレーニングの実行位置近傍に設置されていて、
前記記録手段が、筋力トレーニングの実行回数を記録する
ことを特徴とする請求項１〜３のいずれか１項記載のスポーツ施設利用システム。
【請求項６】
利用者の識別情報を記録した記憶手段を有し、記憶手段の記録情報を無線信号として出力する記録媒体を用い、
記録媒体から出力される無線通信を受信し、記録媒体の記憶手段に記録されている識別情報を取得するとともに、記録媒体が接近した時間間隔を記録媒体毎に計測する計測過程と、
計測過程での計測結果に基づいて、所定の運動の繰り返し回数及び時間を利用者毎に記録する記録過程と
を含んでいることを特徴とするスポーツ施設利用方法。
【請求項７】
利用者の識別情報に基づき該利用者の目標、及び当日の運動メニューを設定し、
計測手段により運動量を計測し、
所定の運動が終了したら記録媒体に記録された前記運動量を基に前記目標に対する達成状況を確認する手段を有すること
を特徴とするスポーツ施設利用システム。
【発明の詳細な説明】
【技術分野】
【０００１】
本発明は、スポーツジム、スポーツクラブ等のスポーツ施設において用いて好適なスポーツ施設利用システム及び利用方法に関する。
【背景技術】
【０００２】
スポーツジム、スポーツクラブ等のスポーツ施設を利用する目的は一般に、単に運動することでは無く、（１）健康維持、（２）美容、（３）体の強化等が上げられる。これらの目的を効率良く達成するには、例えば、最終目標に向けて日毎に運動メニュー、運動量、体の状態等を刻々と把握し、管理して行く必要が有る。
【０００３】
健康維持、美容、体の強化等に係る目標の管理を行うためのシステムの一例が特許文献１に記載されている。特許文献1に記載されているシステムでは、ネットワークを介して接続されたユーザ端末とサーバとの間で個人情報やトレーニングメニュー、トレーニング結果といった情報が送受信される。ユーザ端末から送られた氏名、年齢、トレーニングの目標、身長、体重、健康状態等の個人情報は、サーバ側のデータベースに蓄積される。トレーナは、個人情報その他のデータベース内の情報に基づいてトレーニングメニューを作成し、ユーザへ送信する。ユーザはトレーニングメニューに従ってトレーニングを行い、その結果を返送する。トレーナはトレーニング結果に基づいて次回のトレーニングメニューを作成する。このようにしてトレーニングメニューを進捗状況に合わせて作成し、それに従ってトレーニングを実行することで、目標達成の確実性を向上させようとしている。
【０００４】
また、トレーニング者が装着可能な可搬性のデータキャリアを用いることで個別対応型としたトレーニング管理システムの一例が特許文献２に記載されている。データキャリア内のメモリには、識別データ、体格データ、体力データ、体調データ、運動履歴データ、目標データ等のデータが格納されている。このシステムは、データキャリアに格納されたデータに基づいてトレーニングを設定することで、インストラクタを介する必要なく、トレーニング者個別の管理を自動的に行うことができるというものである。
【０００５】
また、非接触ＩＣタグ付きエクササイズメニューを用いることで施設内での利用者の動線、滞留時間等の情報収集を可能にしたシステムが特許文献３に記載されている。非接触ＩＣタグには会員番号が記録され、トレーニングルームの入り口に設置されたセンサで非接触ＩＣタグ内のデータが読み取られるようになっている。
【０００６】
また、特許文献４には、利用者の指に装着したセンサで脈拍を検知し、利用者の体調が変化した場合にそれを報知するようにしたトレーニング支援装置が記載されている。この装置は、腕時計型として利用者に装着され、走行時の周回ラップと脈拍数との比較を行ってその結果に応じた表示をおこなう機能を有している。
【特許文献１】特開２００２−１９７１９３号公報
【特許文献２】特開２０００−２８８１４４号公報
【特許文献３】特開２００２−３０６６３３号公報
【特許文献４】特開平９−７５４９１号公報
【発明の開示】
【発明が解決しようとする課題】
【０００７】
運動によって目的を達成するためのシステムでは、主な機能として、目標を設定する機能、その設定に対し的確な運動メニュー、運動量等の果すべき内容を決めて指示する機能、指示に従って行動した結果の運動量等を記録（あるいは入力）する機能、その運動量から予測される次の行動を示す機能等が設けられている。これらの機能のうち、特に、利用者が実際に行動した運動量等の結果を記録する機能については、一部の機器を利用した運動以外では利用者が手動で行わなければならない場合が多かった。例えば多数の利用者が利用する水泳プールで水泳をする場合の泳いだ距離や速さの記録は、利用者自身が運動後に記憶に基づいて行う場合が多かった。このような記録作業は、煩雑であったり、不正確になったりする場合があるという問題があった。
【０００８】
本発明は、上記の事情に鑑みてなされたものであり、スポーツ施設を使用する際の機能性や利便性を従来に比べて向上させることができるスポーツ施設利用システム及び利用方法を提供することを目的とする。より具体的にはスポーツ施設における利用者の運動量等に係る個人情報の記録を自動的に行うことができるスポーツ施設利用システム及び利用方法を提供することを目的とする。
【課題を解決するための手段】
【０００９】
上記課題を解決するため、本発明は、利用者の識別情報を記録した記憶手段を有し、記憶手段の記録情報を無線信号として出力する記録媒体と、記録媒体から出力される無線通信を受信し、記録媒体の記憶手段に記録されている識別情報を取得するとともに、記録媒体の動作を記録媒体毎に計測する計測手段と、計測手段による計測結果に基づいて、所定の運動の繰り返し回数及び時間を利用者毎に記録する記録手段とを具備することを特徴とする。
【００１０】
上記構成によれば、記録媒体を利用者の躰に装着して利用者が所定の運動を行った場合に、利用者の躰又は記録媒体を装着している躰の一部分が計測手段に対して接近したり、離間したりする時間間隔を計測することで、利用者が行っている運動の繰り返し回数と時間を記録することができる。すなわち、運動の繰り返し回数、運動の速さ、継続時間等の運動量に係る情報を自動的に記録することができるようになる。これによって、記録作業の煩雑さを解消し、記録される情報の正確性を向上し、例えば目標に対する達成状況の管理等を詳細に行うことができるようになり、スポーツ施設を使用する際の機能性や利便性を向上させることができる。
【００１１】
また、本発明は、前記記録媒体の記憶手段が、強誘電体メモリ（Ferroelectric Random Access Memory）からなることを特徴とする。これによれば、記憶手段を、高速、低消費電力で、書き換え可能なFerroelectric Random Access Memoryとすることができるので、記憶媒体に対して、短時間で多くの情報を非接触で読み出し及び書き込みできるようになる。したがって、記憶媒体を介して利用者の個々の情報や運動量に関する情報を短時間で処理できるようになるので、容易に、送受信されるデータの暗号化処理のための時間を確保したり、利用者毎に対応した多くの情報を記憶媒体を利用して処理したりできるようになる。
【００１２】
また、本発明は、前記記録媒体が、非接触電力伝送によって得た電力によって無線信号を出力することを特徴とする。これによれば、記憶媒体に、電池等のエネルギー源となる装置を設ける必要がないので、装置の小型軽量化を図ることができ、記憶媒体を利用者に装着する場合の負担を軽減することができる。
【００１３】
また、本発明は、前記計測手段が、水泳プール端部近傍に設置されていて、前記記録手段が、計測結果から得た水泳又は水中歩行運動の繰り返し回数及び時間を、水泳又は水中歩行の距離及び速度に換算して記録することを特徴とする。この構成によれば、運動中に利用者が特別な記録作業を行わなくても、水泳や水中歩行の距離及び速度を、例えば速度の変化を含めて正確に記録できる。また、記録媒体には利用者の識別情報が記録されているので、１つの水泳プール内に複数の利用者が存在する場合でも利用者を正確に識別することができる。
【００１４】
また、本発明は、前記計測手段が、筋力トレーニングの実行位置近傍に設置されていて、前記記録手段が、筋力トレーニングの実行回数を記録することを特徴とする。この構成によれば、運動中に利用者が特別な記録作業を行わなくても、筋力トレーニングの回数を、例えば１回当たりに要する時間の変化を含めて正確に記録できる。
【００１５】
また、本発明は、利用者の識別情報を記録した記憶手段を有し、記憶手段の記録情報を無線信号として出力する記録媒体を用い、記録媒体から出力される無線通信を受信し、記録媒体の記憶手段に記録されている識別情報を取得するとともに、記録媒体が接近した時間間隔を記録媒体毎に計測する計測過程と、計測過程での計測結果に基づいて、所定の運動の繰り返し回数及び時間を利用者毎に記録する記録過程とを含んでいることを特徴とする。
【発明を実施するための最良の形態】
【００１６】
以下、図面を参照して本発明の実施の形態について説明する。図１は本発明の一実施形態のシステム構成図である。図１に示すシステムは、スポーツジム、スポーツクラブ等の一つのスポーツ施設に設置されたものであって、データ管理コンピュータ１と、個人情報データベース２と、受付１１、運動設備１２〜１４等に設置されているリーダライタ２１〜２４と、それらを接続する通信回線３１〜３４と、各利用者が手首に装着するリストバンド５１〜５４とから構成されている。
【００１７】
データ管理コンピュータ１は、パーソナルコンピュータ等の情報処理装置であって、所定の基本ソフトウェア上で本システム用のアプリケーションを実行することで、本スポーツ施設を利用する際の各利用者に関する情報の管理を行う。データ管理コンピュータ１は、また、リーダライタ２１〜２４を介して、リストバンド５１〜５４の各ＲＦＩＤタグとの間で情報を送受信する。
【００１８】
個人情報データベース２は、本スポーツ施設を利用する各利用者の個人情報を管理するデータベースである。図２に示すように、個人情報データベース２には、本スポーツ施設に会員登録した利用者の個人情報が会員毎に記録されている。図２に示す例では、各会員情報として、会員ＩＤ（会員識別情報）、入会年月日、年齢、性別、氏名、目的、入会時健康状態（身長、体重、血圧、脈拍、体脂肪率、…）、過去履歴（利用回数、利用日、…）、支払条件、最終目標値、運動メニュー（日別）、運動量（日別）、健康状態（日別）等の情報が記録されることとしている。ここで、目的とは、本スポーツ施設を利用する際に利用者が到達しようとして目指す健康維持、美容、体の強化等の事項である。最終目標値とは、目的とする事項を定量化して表した値である。目的の内容によって異なり、体重、筋力、体脂肪率、脈拍、その他の体調に関する値、運動能力を表す値（例えば水泳１００メートルを何秒、ダンベル４０ｋｇ何回）等の絶対値または増減値（あるいは増減率）の１または複数の組み合わせから構成される。運動メニュー（日別）は、各利用日において実行すべき運動の内容である。運動量（日別）は運動メニューに対して実際に実行した運動量である。そして、健康状態（日別）は、各利用日の健康状態（身長、体重、血圧、脈拍、体脂肪率、…）を表す情報である。
【００１９】
図１に示すシステムでは、本スポーツ施設を利用する際に受付１１で受付処理を行い、リストバンド５１の交付を受けて、利用者がそれを手首に装着する。受付１１ではまた利用者に対して当日行うべき運動メニュー（運動メニュー（日別））が提示される。リストバンド５１は、装着バンド５１ａとＲＦＩＤタグ５１ｂとから構成されている。ＲＦＩＤタグ５１ｂ（Radio Frequency Identificationタグ）は、人物、物体等の識別に利用する無線ＩＣチップであり、識別情報等の情報が記録された不揮発性メモリを内部に有し、電波等を使ってリーダライタ２１〜２４との間で不揮発性メモリ内の情報を無線信号によって送受信する機能を有している。ＲＦＩＤタグ５１ｂ内の不揮発性メモリには受付１１で各利用者に個別の識別情報のほか、その日に行う運動メニュー等の情報が記録される。
【００２０】
図３は、ＲＦＩＤタグ５１ｂ内の記録情報の一例を示す図であり、この例では、会員ＩＤ、運動メニュー（日別）、運動量（日別）、健康状態（日別）等の情報が記録されることとしている。会員ＩＤ、運動メニュー（日別）、運動量（日別）、健康状態（日別）等の内容は、個人情報データベース２に記録されるものと同一である。
【００２１】
なお、リストバンド５２〜５４もリストバンド５１と同様に構成されている。ただし、各リストバンドのＲＦＩＤタグ内に記録される情報は、利用者毎に異なっている。
【００２２】
受付１１で受付処理を行った利用者は、例えば図示していない健康状態測定用の装置を用いて、体重、筋力、体脂肪率、脈拍等の情報を測定する。その情報は、データ管理コンピュータ１によって個人情報データベース２に登録されるとともに、図示していないリーダライタを介してリストバンド５１のＲＦＩＤタグ５１ｂに記録される。
【００２３】
次に各利用者は、それぞれのその日の運動メニューに従って、ダンベル運動用の運動設備１２、ジョギング用の運動設備１３、水泳用の運動設備（水泳プール）１４を用いて運動を実行する。その際、運動設備１２では、リーダライタ２２によって利用者のリストバンド５２の上下運動（矢印で図示）を検知し、それに基づいてダンベル６０の上下運動の回数が計測される。この計測値は、データ管理コンピュータ１によって、個人情報データベース２に記録されるとともに、リストバンド５２のＲＦＩＤタグに記録される。
【００２４】
また、運動設備１３では、リーダライタ２３によって利用者のリストバンド５３の前後運動（矢印で図示）を検知し、それに基づいてジョギングの歩数と速度が計測される。この計測値は、データ管理コンピュータ１によって、個人情報データベース２に記録されるとともに、リストバンド５３のＲＦＩＤタグに記録される。そして、運動設備１４では、リーダライタ２４よって利用者のリストバンド５４の接近または離間運動（矢印で図示）を検知し、検知結果と運動設備１４の寸法とに基づいて水泳の距離と速度が計測される。この計測値は、データ管理コンピュータ１によって、個人情報データベース２に記録されるとともに、リストバンド５４のＲＦＩＤタグに記録される。
【００２５】
次に図４を参照して、ＲＦＩＤタグ５１ｂの構成について説明する。ＲＦＩＤタグ５１ｂは、ループアンテナ等のアンテナ５０１と、ＩＣ（集積回路）５１０とから構成されている。この場合、アンテナ５０１に誘導された誘導電磁界を用いて電力伝送と情報伝送が行われる。
【００２６】
ＩＣ５１０は、高周波回路５１１、電源部５１２、データ復調回路５１３、データ変調回路５１４、データ制御回路５１５、メモリ５１６、および暗号処理回路５１７から構成されている。高周波回路５１１は、アンテナ５０１で受信した誘導電磁界から得た交流電力を電源部５１２に供給するとともに、所定の周波数の高周波信号をデータ復調回路５１３に出力したり、データ変調回路５１４から入力した変調信号を増幅してアンテナ５０１に出力したりする。電源部５１２は、入力された交流電力を所定電圧の直流電源として出力する電源回路、各部にリセット信号を出力するリセット回路、および各部にクロック信号を供給するクロック回路から構成されている。データ復調回路５１３は、高周波回路５１１から入力された高周波信号を復調してデータ信号として出力する。データ変調回路５１４は、入力されたデータ信号で変調された所定の周波数の高周波信号を高周波回路５１１に対して出力する。
【００２７】
データ制御回路５１５は、データ復調回路５１３から出力されたデータ信号を暗号処理回路５１７によって復号化して解釈し、データ信号内の命令に従って、メモリ５１６にデータを書き込んだり、メモリ５１６からデータを読み出したりする。その際、データ制御回路５１５は、メモリ５１６から読み出したデータを暗号処理回路５１７で暗号化した後、データ変調回路５１４に出力する。
【００２８】
メモリ５１６は、電気的に書き換え可能な不揮発性メモリであり、特に、不揮発性メモリとしては、例えば、強誘電体メモリであるＦｅＲＡＭ（Ferroelectric Random Access Memory）を用いる。ＦｅＲＡＭは、強誘電体を記憶素子として利用した不揮発メモリであって、フラッシュメモリ等に比べて高集積化が可能で、かつ高速、低消費電力という特徴を有している。したがって、メモリ５１６をＦｅＲＡＭとすることで、短時間で多くの情報を非接触で読み出しおよび書き込みできるようになる。この場合、利用者の個々の情報や運動量に関する情報を短時間で処理できるようになるので、容易に、送受信されるデータの暗号化処理のための時間を確保したり、利用者毎に対応した多くの情報を記憶媒体を利用して処理したりできるようになる。
【００２９】
暗号処理回路５１７は、公知の共通鍵暗号化方式等の暗号化方式によってデータ信号の暗号化と復号化を行う。図４の例では、ＩＣ５１０のうち、高周波回路５１１を除く他の回路を１チップ構成としたり、データ制御回路５１５、メモリ５１６、および暗号処理回路５１７の３つの回路を１チップ構成としたりすることができる。
【００３０】
次に図５を参照して、図１のリーダライタ２１〜２４の構成について説明する。図５に示す例では、リーダライタ２１〜２４が、アンテナ２１０、データ伝送部２１１、データ伝送制御部２１２、およびアプリケーションインターフェース２１３から構成されている。アンテナ２１０は、ループアンテナ等からなり、図４のアンテナ５０１に対して、所定の周波数の誘導電磁界を発生して電力伝送を行うとともに、所定の変調信号を用いて情報伝送を行うための信号を受信したり送信したりする。データ伝送部２１１は、アンテナ２１０から出力する信号を生成したり、アンテナ２１０で受信した信号を復調したりする。
【００３１】
データ伝送制御部２１２は、アプリケーションインターフェース２１３から入力に応じて生成したデータ信号や所定の応答信号をデータ伝送部２１１へ供給したり、データ伝送部２１１から入力されたデータ信号を所定の形式に変換してアプリケーションインターフェース２１３へ出力したりする。データの暗号化および復号化はデータ伝送制御部２１２によって行われる。アプリケーションインターフェース２１３は、データ管理コンピュータ１で実行されている所定のアプリケーションとの間でデータ信号の入出力を行う。
【００３２】
なお、図５において、データ管理コンピュータ１で実行するとした所定のアプリケーションの機能の一部または全部は、リーダライタ２１〜２４内にアプリケーション実行用のコンピュータ機能を設けて内部で実行するようにしてもよい。
【００３３】
次に図６を参照して、図１に示すシステムにおける処理の流れについて説明する。利用者は、まず、本スポーツ施設を利用する際に会員登録を行う（ステップＳ１１）。この会員登録は、１回だけ行えばよい。次に利用者の要望に合わせて目的を入力する（ステップＳ１２）。次に、その目的に合わせた具体的な最終の目標値を設定する（ステップＳ１３）。ステップＳ１１〜Ｓ１３で入力・設定された情報の操作はデータ管理コンピュータ１に接続されている所定の端末を用いて行われ、利用者毎に個人情報データベース２に登録される。
【００３４】
次に当日の運動メニューを設定し、会員ＩＤほかの所定の情報を記録したリストバンド５１を利用者が受け取り手首に装着する（ステップＳ１４）。運動メニューの設定は、例えばスポーツ施設のトレーナととも入力端末の画面上に表示される情報を見ながら対話形式で項目を選択するなどして行われる。この際、適正な運動メニューからの予想効果を出力するようにすることができる。設定された運動メニューは、リストバンド５１のＲＦＩＤタグ５１ｂに記録されるとともに、個人情報データベース２に記録される。
【００３５】
次に利用者が、運動メニューに従い、図１の運動設備１２〜１４等の運動設備の設置場所に順次移動して、運動を実行して行く。ここで、例えばリーダライタ２２〜２４のいずれかがリストバンド５１のＲＦＩＤタグ５１ｂから出力される無線通信を受信し、メモリ５１６に記録されている会員ＩＤ（識別情報）を取得するとともに、ＲＦＩＤタグ５１ｂがリーダライタ２２〜２４のいずれかに接近した時間間隔をＲＦＩＤタグ５１ｂ毎に計測する。そして、計測結果から、リーダライタ２２〜２４に設定された種類の運動の繰り返し回数を算出し、またその運動の継続時間を算出して、利用者毎に個人情報データベース２に記録する。ただし、個人情報データベース２に記録する運動量を表すデータは、運動の種類に応じてさらに変換した値であってもよい。例えば水泳であれば泳いだ距離と速度、ジョギングであればジョギングした距離と速度といった値に変換して、個人情報データベース２に記録するようにしてもよい。また、同様の運動量を表す値が、ＲＦＩＤタグ５１ｂに記録される。
【００３６】
次に、所定の運動が終了したら、必要に応じて健康状態を計測した後、受付１１や運動設備１２〜１４等の設置場所に設置された端末を操作しして、ＲＦＩＤタグ５１ｂをリーダライタで認識させることで、目標に対する達成状況、効果等を確認する。ここで最終目標値が達成されていた場合には（ステップＳ１７で「Ｙｅｓ」）、受付１１で料金の支払い処理を行って、本スポーツ施設が提供するサービスの１区切りが終了する（ステップＳ１８）。一方、最終目標値が達成されていなかった場合には（ステップＳ１７で「Ｎｏ」）、端末の表示画面に本日までの運動量や次の運動メニューに関するアドバイス等の表示を行う（ステップＳ１８）。そして次に運動を行う際に、それまでの達成状況に応じてステップＳ１４からの処理が繰り返し行われることになる。
【００３７】
次に図７を参照して、図６のステップＳ１５の処理の詳細について説明する。図７の処理は、リーダライタ２２〜２４で行われる。まず、いずれかのＲＦＩＤが検出できるまで、所定の無線信号の出力と受信とを繰り返し行う（ステップＳ２１〜ステップＳ２２）。いずれかのＲＦＩＤタグから所定の応答信号が検出された場合、そのＲＦＩＤタグの会員ＩＤ等の識別情報を取得する処理が行われる（ステップＳ２３）。取得した識別情報から同一識別情報を有するＲＦＩＤタグが前回検出されたときからの経過時間を確認し、それが所定時間以上であった場合には（ステップＳ２４で「Ｙｅｓ」）、ＲＦＩＤタグの新たな接近状態と判定して、当該ＲＦＩＤタグの識別情報と、当該リーダライタに設定された運動の種類とに応じて、運動量に関する情報の記録を行う（ステップＳ２５）。一方、所定時間以上経過していなかった場合には（ステップＳ２４で「Ｎｏ」）、ＲＦＩＤタグの接近状態が継続した状態であると判定して、ステップＳ２１に戻ってＲＦＩＤタグの探索を継続する。
【００３８】
なお、ＲＦＩＤタグの検出は、例えばＲＦＩＤタグから送信された無線信号の強度に応じて、所定の強度以上で接近、それ以外が離間であるということとして行ったり、受信したデータ信号のデータ誤り率に応じて所定のしきい値を用いて検出するようにしたりすることができる。
【００３９】
以上の処理によって、ＲＦＩＤタグの接近および離間の時間間隔と接近の回数を、ＲＦＩＤタグ毎に計測することができる。例えば、水泳プールの端部近傍にリーダライタを設置した場合、利用者が水泳または水中歩行運動でそのリーダライタに接近する度にその利用者のＲＦＩＤタグが検出される。この接近の回数を計測することで、水泳プールの長さと回数を掛けることで運動距離が算出でき、距離を当該運動の開始から終了までの時間で割ることで速度を算出することができる。また、１往復毎の途中時間を算出することもできる。
【００４０】
また、例えばリーダライタを、ダンベル運動を行う場所に設置し、ダンベルを上下したときに、ＲＦＩＤタグの接近と離間とが検出できるようにしたり、腹筋運動をした場合の上半身の上限運動の間にＲＦＩＤタグの接近と離間とが検出できるようにしたりするようにすれば、それらの運動の回数を記録することが可能となる。すなわち、筋力トレーニングの実行位置近傍にリーダライタを設置して、ＲＦＩＤタグの接近の回数を計測することで、筋力トレーニングの実行回数を記録することができる。なお、ＲＦＩＤタグの接近をＲＦＩＤタグ固有の識別情報でＲＦＩＤタグ毎に計測しているので、複数の利用者が接近したり、混在しているような場合でも、各利用者の運動量はそれぞれ計測可能である。
【００４１】
以上のように本実施の形態によれば、目標を設定する機能、その設定に対し的確な運動メニュー、運動量等果す内容を決めて指示する機能、指示により行動した時の運動量等を計測し入力する機能、その運動量から予測される次の行動を示す機能を有するので、スポーツ施設利用システムの機能性や利便性を向上させることができる。また、適正運動メニューからの予想効果を出力する機能や、目標にに対する達成状況、効果具合確認機能、次回に向けたアドバイス機能を設けることも有効である。
【００４２】
また、自分に適した適正メニューを選択できる為、効率良く、過負荷無く利用できる。また、時計型の生体機能計測器などとの組み合わせによって、リアルタイムで健康状態を管理でき、体に異常をきたした時には速やかに行動をやめ、さらにはメニューを変更するようなシステムとすることもできる。
【００４３】
なお、上記の実施の形態では、ＲＦＩＤタグを用いた非接触送受信の方式として、電磁誘導方式を用いることとしたが、それ以外にも、電波方式、電磁結合方式等の他の非接触による電力伝送および情報伝送方式を用いる構成を採用することも可能である。また、メモリ５１６に記録する識別情報は、会員ＩＤと同一のものでなくてもよく、データ管理コンピュータ１等において、会員ＩＤ（各利用者）との対応関係を知ることができる各ＲＦＩＤタグ固有の番号であれば、任意の識別符号を用いることができる。
【００４４】
また、例えば水泳プール近傍にリーダライタを設置する場合には、水泳プールの両端（両側）にリーダライタを設置することで、往復運動の行きと帰りのそれぞれの移動時間を計測できるようにすることもできる。また、運動用の計測機能付きの器具を利用する場合には、その器具で測定した計測値を利用して運動量を計測するようにしてもよい。また、ダンベル等の器具に質量を示すＲＦＩＤタグを貼り付けておいて、利用者の運動量と、使用中の質量等の器具の情報の両方をリーダライタを用いて自動的に記録するようにしてもよい。
【００４５】
また、会員ＩＤに基づき利用者の目標、及び当日の運動メニューを設定し、運動設備１２やデータ管理コンピュータ１が運動量を計測し、所定の運動が終了したら個人情報データベース２に記録された運動量を基に目標に対する達成状況を表示部などに表示するようにしても良い。
【００４６】
また、上記実施の形態のシステムは、普段心と体を作るトレーニングを主に説明して来たがマラソン、トライアスロン等競技や登山等心と体に負荷の大きいスポーツに対し応用すると効率の良い行動が取れると共に、急な変調を伴った危険を予知し排除する事も可能である。またトレーニングジムでの応用で説明したが設備さえ備えていれば自宅でも何ら差し支えない。
【図面の簡単な説明】
【００４７】
【図１】本発明のシステムの構成を示すシステム図。
【図２】図１の個人情報データベース２内のデータの一例を示す図。
【図３】図１のＲＦＩＤタグ５１ｂ内のデータの一例を示す図。
【図４】図１のＲＦＩＤタグ５１ｂの構成の一例を示すブロック図。
【図５】図１のリーダライタ２１〜２４の構成の一例を示すブロック図。
【図６】図１のシステムの処理の流れを示すフローチャート。
【図７】図６のステップＳ１５の処理の詳細を説明するためのフローチャート。
【符号の説明】
【００４８】
１  データ管理コンピュータ、２  個人情報データベース、２１〜２４  リーダライタ、５１〜５４  リストバンド、５１ｂ  ＲＦＩＤタグ、５１６  メモリ
【図１】
2005267179.tif 000003
【図２】
2005267179.tif 000004
【図３】
2005267179.tif 000005
【図４】
2005267179.tif 000006
【図５】
2005267179.tif 000007
【図６】
2005267179.tif 000008
【図７】
2005267179.tif 000009